(57)【要約】【課題】携帯端末装置の表示部に表示された漢字の形を正確・容易に知ることが出来、更には該漢字に関する意味などの情報を容易に知ることが出来る技術を提供することである。【解決手段】表示手段と、前記表示手段に表示される標準タイプの文字の情報を記憶した第１の記憶手段と、前記表示手段に前記標準タイプの文字より正確、かつ、拡大して表示される特定タイプの文字の情報を記憶した第２の記憶手段と、文字に関する辞書情報を記憶した辞書情報記憶手段と、前記表示手段に表示された標準タイプの文字を指定する指定手段と、前記指定手段で前記表示手段に表示された標準タイプの文字を指定した場合、該標準タイプの文字に対応する特定タイプの文字の情報を前記第２の記憶手段から読み出して該標準タイプの文字より正確、かつ、拡大して該特定タイプの文字を前記表示手段に表示すると共に、前記辞書情報記憶手段から該文字に関する辞書情報を読み出して前記表示部に表示する制御手段とを具備する携帯端末装置。【選択図】図１
2009098173.tif 000002
【特許請求の範囲】
【請求項１】
表示手段と、
前記表示手段に表示される標準タイプの文字の情報を記憶した第１の記憶手段と、
前記表示手段に前記標準タイプの文字より正確、かつ、拡大して表示される特定タイプの文字の情報を記憶した第２の記憶手段と、
文字に関する辞書情報を記憶した辞書情報記憶手段と、
前記表示手段に表示された標準タイプの文字を指定する指定手段と、
前記指定手段で前記表示手段に表示された標準タイプの文字を指定した場合、該標準タイプの文字に対応する特定タイプの文字の情報を前記第２の記憶手段から読み出して該標準タイプの文字より正確、かつ、拡大して該特定タイプの文字を前記表示手段に表示すると共に、前記辞書情報記憶手段から該文字に関する辞書情報を読み出して前記表示部に表示する制御手段
とを具備することを特徴とする携帯端末装置。
【発明の詳細な説明】
【技術分野】
【０００１】
本発明は携帯端末装置に関する。特に、携帯電話機、ＰＨＳやＰＤＡ等の携帯情報端末装置に関する。
【背景技術】
【０００２】
例えば、表示画面の任意の位置を押圧操作することにより、押圧された位置に表示された情報が入力されるタッチパネル付きの表示部と、このタッチパネル付きの表示部における表示画面を予め定めた一定時間以上継続して押圧操作しているか否かを判断する判断手段と、予め定めた一定時間以上継続して押圧操作している場合には、表示部の表示を拡大表示する拡大表示手段と、予め定めた一定時間以上継続して押圧操作していない場合には、押圧された位置の情報を確定し、入力する入力手段とを備えた携帯端末装置が提案されている。
【特許文献１】特開２００５−１８２３６７号公報
【発明の開示】
【発明が解決しようとする課題】
【０００３】
上記提案の技術によれば、図３（ａ），（ｂ）に示される如く、表示部に表示された漢字が、必要に応じて、大きく表示されることから、大きく表示された段階で、任意に希望する漢字を正確に特定して接触することが可能になる。従って、機器の小型化に拘らず、指などで正確に操作できると謳われている。
【０００４】
ところで、近年、携帯電話機を用いて、インターネットに接続したり、或いはメールの遣り取りが行われることが多くなっている。
【０００５】
このような場合において、携帯電話機の画面上に表示された文字は、デスクトップ型コンピュータの場合と異なり、一般的に、精密（正確）では無い。この為、携帯電話機の画面に表示された漢字が複雑な形の漢字（画数が多い漢字）である場合、その文字（漢字）を拡大しても、判然としない場合が多い。例えば、「止め」なのか、「跳ね」なのか、「払い」なのかが判らないことが多い。
【０００６】
尚、所謂、ＴｒｕｅＴｙｐｅフォントの文字が用いられている場合には、拡大しても、正確な表示がなされることから、上記のような問題が無い。しかしながら、携帯電話機などの携帯端末装置にあっては、ＴｒｕｅＴｙｐｅフォントの文字情報を記憶させておくことは、メモリの容量の制約から、採用できない。
【０００７】
従って、本発明が解決しようとする課題は、携帯端末装置の表示部に表示された漢字の形を正確・容易に知ることが出来、更には該漢字に関する意味などの情報を容易に知ることが出来る技術を提供することである。
【課題を解決するための手段】
【０００８】
前記の課題は、表示手段と、
前記表示手段に表示される標準タイプの文字の情報を記憶した第１の記憶手段と、
前記表示手段に前記標準タイプの文字より正確、かつ、拡大して表示される特定タイプの文字の情報を記憶した第２の記憶手段と、
文字に関する辞書情報を記憶した辞書情報記憶手段と、
前記表示手段に表示された標準タイプの文字を指定する指定手段と、
前記指定手段で前記表示手段に表示された標準タイプの文字を指定した場合、該標準タイプの文字に対応する特定タイプの文字の情報を前記第２の記憶手段から読み出して該標準タイプの文字より正確、かつ、拡大して該特定タイプの文字を前記表示手段に表示すると共に、前記辞書情報記憶手段から該文字に関する辞書情報を読み出して前記表示部に表示する制御手段
とを具備することを特徴とする携帯端末装置によって解決される。
【発明の効果】
【０００９】
例えば、携帯電話機の画面にゴチック体などで表示された漢字を参考にして手書きしようとした場合において、ゴチック体より正確な形の漢字が簡単に読み出されて拡大表示されることから、更には、当該漢字の意味なども簡単に表示されることから、携帯電話機を辞書代わりに用いることが出来る。
【発明を実施するための最良の形態】
【００１０】
図１，２は本発明の携帯端末装置の一実施形態を示すもので、図１はブロック図、図２は動作のフローチャートである。
【００１１】
各図中、Ａは携帯電話機であり、１は携帯電話機Ａの表示手段（表示部：ディスプレイ：例えば、液晶画面）である。
【００１２】
２は、表示部１に表示される標準タイプ（例えば、ゴチック体）の文字の情報を記憶した第１の記憶手段（メモリ）である。３は、表示部１に表示される標準タイプ（例えば、ゴチック体）の文字より正確、かつ、拡大して表示される特定タイプ（「止め」とか「跳ね」とか「払い」とかが正確に表示される、例えば明朝体）の文字の情報を記憶した第２の記憶手段（メモリ）である。４は、メモリ２（又はメモリ３）に記憶されている文字に関連付けて当該文字に関する辞書情報（例えば、意味、読み、書き順、熟語など）を記憶した第３の記憶手段（辞書情報記憶手段：メモリ）である。
【００１３】
５は指定手段（ポインティングデバイス：アナログポインティングデバイス）であり、このポインティングデバイス５は表示部１に表示された標準タイプの文字を指定するものである。
【００１４】
６は制御手段（ＣＰＵ）である。そして、ポインティングデバイス５が表示部１に表示された標準タイプの文字を指定すると、制御手段（ＣＰＵ）６は、ポインティングデバイス５が指定した標準タイプ（ゴチック体）の文字に対応する特定タイプ（明朝体）の文字の情報を第２のメモリ３から読み出し、そして該標準タイプ（ゴチック体）の文字より正確、かつ、拡大して該特定タイプ（明朝体）の文字を一定時間だけ表示部１に表示させるよう構成されている。又、これに伴って、制御手段（ＣＰＵ）６は、ポインティングデバイス５が指定した標準タイプ（ゴチック体）の文字に関する辞書情報を第３のメモリ４から読み出し、表示部１に一定時間だけ表示させるよう構成されている。尚、ポインティングデバイス５による文字の指定が開放されてから一定時間が経過すると、特定タイプ（明朝体）の文字の表示や辞書情報の表示は自動的に消去され、元の標準タイプ（ゴチック体）の文字のみが表示されるようになっている。
【００１５】
尚、７は通信手段、８はキーパッド等の入力手段である。そして、図示していないが、スピーカやマイクロフォン等の携帯電話機に必要な手段を備えている。
【００１６】
次に、上記のように構成させた携帯電話機Ａの動作について説明する。
【００１７】
先ず、キーパッド８の操作によるメール閲覧状態やＷｅｂサイト閲覧状態などで携帯電話機Ａの表示部１に表示された文字（ゴチック体の或る漢字（例えば、「驪」）に対して、ポインティングデバイス５によって焦点を当てる（ステップ１）。そして、この状態にて、ポインティングデバイス５が関連した特定キーを押下する（ステップ２）。
【００１８】
この特定キーの所定時間に亘る押下によって、ＣＰＵ６は、ポインティングデバイス５が指定したゴチック体の「驪」に対応する明朝体の「驪」情報をメモリ３から読み出す（ステップ３）。そして、ＣＰＵ６は、メモリ３から読み出した明朝体の「驪」を拡大して一定時間だけ表示部１に表示させる（ステップ４）。又、これと同時に、ＣＰＵ６は、ポインティングデバイス５が指定したゴチック体の「驪」に関する辞書情報（例えば、読み方、書き順、意味、熟語など）をメモリ４から読み出す（ステップ５）。そして、この読み出した辞書情報を一定時間だけ表示部１に表示させる（ステップ６）。表示されてから一定時間が経過すると、ＣＰＵ６は、明朝体で拡大された「驪」の文字、及び辞書情報の表示を消去（ステップ７）するので、表示部１にはゴチック体の「驪」が残ることになる。
【００１９】
尚、前記特定キーの所定時間に亘る押下によってＣＰＵ６が上記動作をさせるようになっているが、前記特定キーが押下されている間はＣＰＵ６が上記動作をさせるようになっていても良く、即ち、前記特定キーの押下が開放されると、ＣＰＵ６が上記動作を停止し、通常の動作（ゴチック体の文字で表示）に戻るようにしていても良い。
【図面の簡単な説明】
【００２０】
【図１】本発明の携帯端末装置のブロック図
【図２】本発明の携帯端末装置の動作のフローチャート
【図３】従来の携帯端末装置の特徴を示す説明図
【符号の説明】
【００２１】
Ａ          携帯電話機
１          表示部（表示手段）
２          メモリ（第１の記憶手段）
３          メモリ（第２の記憶手段）
４          メモリ（辞書情報記憶手段）
５          ポインティングデバイス（指定手段）
６          ＣＰＵ（制御手段）
特許出願人  日本電気株式会社
代  理  人  宇  高    克  己
【図１】
2009098173.tif 000003
【図２】
2009098173.tif 000004
【図３】
2009098173.tif 000005